(57)【要約】【課題】  電話信号をテレビ信号線へ重畳する工事を簡易に実施でき、利用者自身でも実施可能なテレビ端子装置を提供する。【解決手段】  Ｆ型コネクタから成る２つのテレビ端子１，２を備えると共に、モジュラージャックで形成した電話端子３を設け、テレビ端子のうちテレビ信号を出力するテレビ出力端子２を壁面ケースに組み付け可能なケース６の前面に配置し、テレビ信号を入力するテレビ入力端子１と電話端子３をケース６下面に配置した。電話端子３とテレビ出力端子２をケース内でコイルとコンデンサから成る電話信号重畳回路を介して接続し、テレビ入力端子１には電話信号が漏れないようにした。【選択図】  図２
2005065036.tif 000002
【特許請求の範囲】
【請求項１】
筐体に、テレビ信号を入力する１つのテレビ入力端子と、該テレビ入力端子から入力されたテレビ信号を出力する少なくとも１つのテレビ出力端子とから成る複数のテレビ端子を備えたテレビ端子装置であって、
電話線を接続するための少なくとも１つの電話端子を備えると共に、前記筐体内に電話信号を特定のテレビ端子に重畳するための電話信号重畳回路を備え、
少なくとも１つのテレビ出力端子を含むテレビ端子と電話端子とを前記電話信号重畳回路を介して接続して、電話信号を特定のテレビ端子に重畳することを特徴とするテレビ端子装置。
【請求項２】
テレビ出力端子、電話端子を夫々１つ備え、テレビ出力端子と電話端子とを電話信号重畳回路を介して接続してなる請求項１記載のテレビ端子装置。
【請求項３】
テレビ出力端子、電話端子を夫々１つ備え、テレビ入力端子とテレビ出力端子の双方を電話信号重畳回路を介して電話端子と接続してなる請求項１記載のテレビ端子装置。
【請求項４】
１つのテレビ出力端子、２つの電話端子を備え、テレビ入力端子とテレビ出力端子の双方を電話信号重畳回路を介して電話端子と接続すると共に電話端子同士を接続してなる請求項１記載のテレビ端子装置。
【請求項５】
２つのテレビ出力端子と２つの電話端子とを備え、テレビ入力端子と一方のテレビ出力端子を分岐回路を介して接続すると共に分岐出力を他方のテレビ出力端子に接続し、電話端子とすべてのテレビ端子とを電話信号重畳回路を介して接続し、電話端子同士を接続してなる請求項１記載のテレビ端子装置。
【請求項６】
１つのテレビ出力端子、２つの電話端子を備え、テレビ出力端子と電話端子とを電話信号重畳回路を介して接続し、電話端子同士と接続して成る請求項１記載のテレビ端子装置。
【請求項７】
２つのテレビ出力端子と、３つの電話端子を備え、テレビ入力端子と一方のテレビ出力端子を分岐回路を介して接続すると共に分岐出力を他方のテレビ出力端子に接続し、分岐出力を接続したテレビ出力端子と電話端子とを電話信号重畳回路を介して接続し、３つの電話端子を互いに接続してなる請求項１記載のテレビ端子装置。
【請求項８】
電話端子がモジュラージャックである請求項１乃至７の何れかに記載のテレビ端子装置。
【請求項９】
筐体は、壁面取付具を用いることで壁面ボックスに装着可能であって、壁面に装着した際に電話信号を重畳したテレビ出力端子が壁面から露出するよう筐体上に端子配置されて成る請求項１乃至８の何れかに記載のテレビ端子装置。
【請求項１０】
筐体に壁面取付具が一体形成され、電話信号を重畳したテレビ出力端子が壁面から露出するよう筐体上に端子配置されて成る請求項１乃至８の何れかに記載のテレビ端子装置。
【請求項１１】
少なくとも１つの電話端子が、壁面から露出するよう配置されたテレビ出力端子と同一面に配置されて成る請求項９又は１０に記載のテレビ端子装置。
【請求項１２】
壁面から露出するよう配置されたテレビ出力端子に接続されている電話信号重畳回路にはスイッチが介在され、該スイッチの操作により前記テレビ出力端子への電話信号の重畳を解除可能とした請求項９乃至１１の何れかに記載のテレビ端子装置。
【請求項１３】
テレビ入力端子のアース導体と電話端子のアース導体は、テレビ信号を通過させて電話信号の通過を阻止するフィルタ回路を介して接続されて成る請求項１乃至１２の何れかに記載のテレビ端子装置。
【請求項１４】
テレビ信号を入力するテレビ入力端子と、テレビ信号を出力すると共に電話信号を中継するための複数のテレビ出力端子とを有し、
テレビ入力端子は分配回路を介して各テレビ出力端子と接続されると共に、テレビ出力端子同士は電話信号を分離或いは混合する電話分離混合回路を介して接続され、テレビ入力端子への電話信号の重畳を無くし、
更にテレビ入力端子のアース導体と、テレビ出力端子のアース導体とがテレビ信号が通過して電話信号の通過を阻止するフィルタ回路を介して接続されて成ることを特徴とする分配装置。
【請求項１５】
テレビ信号を入力するテレビ入力端子と、テレビ信号を出力する複数のテレビ出力端子と、該テレビ出力端子と同数の電話中継端子を備え、
テレビ入力端子とテレビ出力端子はテレビ信号を分配する分配回路を介して接続され、前記電話中継端子は相互に接続され、
テレビ入力端子のアース導体とテレビ出力端子のアース導体は、テレビ信号が通過して電話信号の通過を阻止するフィルタ回路を介して接続されてなることを特徴とする分配装置。
【請求項１６】
受信したテレビ放送信号を入力して複数に分配する分配器と、該分配器で分配された信号を出力する複数のテレビ端子装置とを備えたテレビ受信システムにおいて、
前記複数のテレビ端子装置のうち少なくとも１つを、請求項２，６，７の何れかに記載のテレビ端子装置とし、当該テレビ端子装置の１つに電話線を接続することで、接続したテレビ端子装置のテレビ出力端子に電話信号を重畳可能としたことを特徴とするテレビ受信システム。
【請求項１７】
受信したテレビ放送信号を入力して複数に分配する分配器と、該分配器で分配された信号を出力する複数のテレビ端子装置とを備えたテレビ受信システムにおいて、
前記分配器が請求項１４に記載の分配装置であると共に、前記複数のテレビ端子装置が請求項３乃至５の何れかに記載のテレビ端子装置であり、
前記テレビ端子装置の何れか１つの電話端子に電話線を接続することで、複数のテレビ端子装置のテレビ出力端子に前記電話線からの電話信号を重畳可能としたことを特徴とするテレビ受信システム。
【請求項１８】
受信した少なくとも１つのテレビ放送信号を入力して複数に分配する分配器と、該分配器で分配された信号を出力する複数のテレビ端子装置とを備えたテレビ受信システムにおいて、
前記分配器が請求項１５に記載の分配装置であると共に、前記複数のテレビ端子装置が請求項６或いは請求項７に記載のテレビ端子装置を少なくとも１つ含む請求項２，６，７の何れかに記載のテレビ端子装置であり、各テレビ端子装置と分配装置をテレビ信号線で接続すると共に電話線でも接続し、前記請求項６或いは請求項７に記載のテレビ端子装置に別途電話線を接続することで、複数のテレビ端子装置のテレビ出力端子に前記別途接続した電話線からの電話信号を重畳可能としたことを特徴とするテレビ受信システム。
【発明の詳細な説明】
【技術分野】
【０００１】
本発明は、壁面等に設置して、アンテナ等から入来したテレビ信号を、接続したテレビ信号線を介してテレビ受像器等の受信機に送出して受信可能とするテレビ端子装置、そのテレビ端子装置を活用するための分配装置及びそれらの機器を組み合わせたテレビ受信システムに関する。
【背景技術】
【０００２】
デジタル放送の特徴の一つに双方向機能があり、それを実現するために電話信号を使用し、放送受信者は同軸ケーブル等のテレビ信号線と共に電話線を受信機に接続して双方向を実現していた。このように、デジタル放送は機能が向上する反面、配線が煩雑になるという問題が生じていた。そのため、この解決策として特許文献１、或いは特許文献２に示す様な電話信号をテレビ信号に重畳する形態が提案されている。
【０００３】
【特許文献１】特開平１０−２１５２０６号公報
【特許文献２】特開平１０−２２４６９９号公報
【発明の開示】
【発明が解決しようとする課題】
【０００４】
ところが、上記特許文献の技術は、何れもテレビ信号へ電話信号を重畳する際、テレビ信号を伝送するケーブルの途中で電話信号を重畳する形態であるため、重畳させるための工事、即ち電話線をテレビ信号線へ接続する工事が面倒であり、専門知識のある作業者でなければ工事するのが難しかった。
【０００５】
そこで、本発明の第１の目的は、電話信号をテレビ信号を伝送するためのテレビ信号線へ重畳する工事を簡易に実施でき、利用者自身でも実施可能なテレビ端子装置を提供することにある。
また、第２の目的は、そのテレビ端子装置の特徴を発揮させる分配装置を提供することにある。
そして、第３の目的は、そのテレビ端子装置を使用することで実現できるテレビ受信システムを提供することにある。
【課題を解決するための手段】
【０００６】
上記課題を解決するため、請求項１の発明に係るテレビ端子装置は、筐体に、テレビ信号を入力する１つのテレビ入力端子と、該テレビ入力端子から入力されたテレビ信号を出力する少なくとも１つのテレビ出力端子とから成る複数のテレビ端子を備えたテレビ端子装置であって、電話線を接続するための少なくとも１つの電話端子を備えると共に、前記筐体内に電話信号を特定のテレビ端子に重畳するための電話信号重畳回路を備え、少なくとも１つのテレビ出力端子を含むテレビ端子と電話端子とを前記電話信号重畳回路を介して接続して、電話信号を特定のテレビ端子に重畳することを特徴とする。
この構成により、テレビ信号を出力するテレビ端子に電話信号を重畳するので、テレビ信号線をそのテレビ端子と受信機の間に接続するだけで、双方向機能を備えることができる。そして、電話信号の重畳は、テレビ端子装置に電話線を接続すればよいので、接続作業が簡易であり、利用者自身が接続することも可能である。
【０００７】
請求項２の発明は、請求項１の発明において、テレビ出力端子、電話端子を夫々１つ備え、テレビ出力端子と電話端子とを電話信号重畳回路を介して接続してなることを特徴とする。
この構成により、電話線を接続したテレビ端子装置のみテレビ出力端子に電話信号が重畳されるので、テレビ信号線により他のテレビ端子装置と連結されていても、それらの端子に電話信号が漏れることがない。
【０００８】
請求項３の発明は、請求項１の発明において、テレビ出力端子、電話端子を夫々１つ備え、テレビ入力端子とテレビ出力端子の双方を電話信号重畳回路を介して電話端子と接続してなることを特徴とする。
この構成により、テレビ出力端子に加えて、テレビ入力端子にも電話信号が重畳されるので、テレビ入力端子に接続されたテレビ信号線を介して他のテレビ端子装置にも電話信号を重畳することが可能となる。
【０００９】
請求項４の発明は、請求項１の発明において、１つのテレビ出力端子、２つの電話端子を備え、テレビ入力端子とテレビ出力端子の双方を電話信号重畳回路を介して電話端子と接続すると共に電話端子同士を接続してなることを特徴とする。
この構成によれば、テレビ入力端子にも電話信号を重畳でき、他のテレビ端子装置のテレビ端子にも電話信号を重畳させることができるし、電話中継端子を有するので、電話回線のみ引き出すことができ、電話機器も容易に接続できる。
【００１０】
請求項５の発明は、請求項１の発明において、２つのテレビ出力端子と２つの電話端子とを備え、テレビ入力端子と一方のテレビ出力端子を分岐回路を介して接続すると共に分岐出力を他方のテレビ出力端子に接続し、電話端子と全てのテレビ端子とを電話信号重畳回路を介して接続し、電話端子同士を接続してなることを特徴とする。
この構成により、１つのテレビ出力端子を中継端子として利用でき、複数のテレビ端子装置を容易に連結できる。そして、それらのテレビ端子に電話信号を重畳させることができるし、電話回線のみ引き出すことができる。
【００１１】
請求項６の発明は、請求項１の発明において、１つのテレビ出力端子、２つの電話端子を備え、テレビ出力端子と電話端子とを電話信号重畳回路を介して接続し、電話端子同士と接続して成ることを特徴とする。
この構成により、電話線を接続したテレビ端子装置のみテレビ出力端子に電話信号を重畳でき、テレビ信号線で連結されている他のテレビ端子装置に電話信号が漏れることが無い。また、電話中継端子を有するので、電話信号のみ容易に引き出すことができる。
【００１２】
請求項７の発明は、請求項１の発明において、２つのテレビ出力端子と、３つの電話端子を備え、テレビ入力端子と一方のテレビ出力端子を分岐回路を介して接続すると共に分岐出力を他方のテレビ出力端子に接続し、分岐出力を接続したテレビ出力端子と電話端子とを電話信号重畳回路を介して接続し、３つの電話端子を互いに接続してなることを特徴とする。
この構成により、電話線を接続したテレビ端子装置のみテレビ出力端子に電話信号を重畳でき、テレビ信号線で他のテレビ端子装置に接続されていても、電話信号が漏れることが無い。また、１つのテレビ端子及び２つの電話端子を中継端子として利用できるので、複数のテレビ端子装置の連結を容易に実施できるし、電話回線が合わせて必要な場合であっても、電話線をテレビ信号線に併設することで容易に電話信号を伝送できる。
【００１３】
請求項８の発明は、請求項１乃至７の何れかの発明において、電話端子がモジュラージャックであることを特徴とする。
この構成により、既存の電話端子と、本装置の電話端子とをワンタッチで接続でき、工具等使用すること無く容易に接続できる。従って、不慣れな利用者であっても容易に接続できる。
【００１４】
請求項９の発明は、請求項１乃至８の何れかの発明において、筐体は、壁面取付具を用いることで壁面ボックスに装着可能であって、装着した際に電話信号を重畳したテレビ出力端子が壁面から露出するよう筐体上に端子配置されて成ることを特徴とする。
この構成により、テレビ端子装置を壁面に設置できるので、テレビ端子装置までの配線が露出することなく見栄えがよい。そして、露出したテレビ出力端子にテレビ信号線を接続するだけで受信装置にてテレビ信号を受信すると共に電話信号を送受できる。
【００１５】
請求項１０の発明は、請求項１乃至８の何れかの発明において、筐体に壁面取付具が一体形成され、電話信号を重畳したテレビ出力端子が壁面から露出するよう筐体上に端子配置されて成ることを特徴とする。
この構成により、壁面取付具を使用することなく壁面に取り付けでき、取付工事が容易であるし、部材も削減できる。
【００１６】
請求項１１の発明は、請求項９又は１０の発明において、少なくとも１つの電話端子が、壁面から露出するよう配置されたテレビ出力端子と同一面に配置されて成ることを特徴とする。
この構成により、電話端子が壁面から露出しているので、壁面ボックスを開けたりすることなく迅速に電話線を接続できる。
【００１７】
請求項１２の発明は、請求項９乃至１１の何れかの発明において、壁面から露出するよう配置されたテレビ出力端子に接続されている電話信号重畳回路にはスイッチが介在され、該スイッチの操作により前記テレビ出力端子への電話信号の重畳を解除可能としたことを特徴とする。
この構成により、電話線との接続が必要ない受信装置と接続する場合、スイッチをオフ操作すれば良く、別途分波器を使用して電話信号を分離する必要がない。
【００１８】
請求項１３の発明は、請求項１乃至１２の何れかの発明において、テレビ入力端子のアース導体と電話端子のアース導体は、テレビ信号を通過させて電話信号の通過を阻止するフィルタ回路を介して接続されて成ることを特徴とする。
この構成により、テレビ端子装置より上流に接続されたテレビ信号の伝送機器に、アースを介して電話信号が漏れることが無く、高いアイソレーションを確保できる。
【００１９】
請求項１４の発明に係る分配装置は、テレビ信号を入力するテレビ入力端子と、テレビ信号を出力すると共に電話信号を中継するための複数のテレビ出力端子とを有し、テレビ入力端子は分配回路を介して各テレビ出力端子と接続されると共に、テレビ出力端子同士は電話信号を分離或いは混合する電話分離混合回路を介して接続され、テレビ入力端子への電話信号の重畳を無くし、更にテレビ入力端子のアース導体と、テレビ出力端子のアース導体とがテレビ信号が通過して電話信号の通過を阻止するフィルタ回路を介して接続されて成ることを特徴とする。
この構成により、分配装置より上流側への電話信号の漏れを確実に遮断でき、高いアイソレーションを確保できる。それでいて、１つのテレビ出力端子に重畳されてきた電話信号を他のテレビ出力端子に良好に重畳できる。
【００２０】
請求項１５の発明に係る分配装置は、テレビ信号を入力するテレビ入力端子と、テレビ信号を出力する複数のテレビ出力端子と、該テレビ出力端子と同数の電話中継端子を備え、テレビ入力端子とテレビ出力端子はテレビ信号を分配する分配回路を介して接続され、前記電話中継端子は相互に接続され、テレビ入力端子のアース導体とテレビ出力端子のアース導体は、テレビ信号が通過して電話信号の通過を阻止するフィルタ回路を介して接続されてなることを特徴とする。
この構成により、分配装置より上流側への電話信号の漏れを確実に遮断でき、高いアイソレーションを確保できる。それでいて、１つのテレビ出力端子に重畳されてきた電話信号を他のテレビ出力端子に良好に重畳できる。また、分配装置を簡単な回路構成とすることができる。
【００２１】
請求項１６の発明に係るテレビ受信システムは、受信したテレビ放送信号を入力して複数に分配する分配器と、該分配器で分配された信号を出力する複数のテレビ端子装置とを備えたテレビ受信システムにおいて、前該複数のテレビ端子装置のうち少なくとも１つを、請求項２，６，７の何れかに記載のテレビ端子装置とし、当該テレビ端子装置の１つに電話線を接続することで、接続したテレビ端子装置のテレビ出力端子に電話信号を重畳可能としたことを特徴とする。
この構成により、既存のテレビ受信システムであっても、テレビ端子装置を交換するだけで、テレビ出力端子に電話信号を重畳できる。
【００２２】
請求項１７の発明に係るテレビ受信システムは、受信した少なくとも１つのテレビ放送信号を入力して複数に分配する分配器と、該分配器で分配された信号を出力する複数のテレビ端子装置とを備えたテレビ受信システムにおいて、前記分配器が請求項１４に記載の分配装置であると共に、前記複数のテレビ端子装置が請求項３乃至５の何れかに記載のテレビ端子装置であり、前記テレビ端子装置の何れか１つの電話端子に電話線を接続することで、複数のテレビ端子装置のテレビ出力端子に前記電話線からの電話信号を重畳可能としたことを特徴とする。
この構成により、１つのテレビ端子装置に電話線を接続するだけで、全てのテレビ端子装置のテレビ出力端子に電話信号を重畳できる。
【００２３】
請求項１８の発明に係るテレビ受信システムは、受信した少なくとも１つのテレビ放送信号を入力して複数に分配する分配器と、該分配器で分配された信号を出力する複数のテレビ端子装置とを備えたテレビ受信システムにおいて、前記分配器が請求項１５に記載の分配装置であると共に、前記複数のテレビ端子装置が請求項６或いは請求項７に記載のテレビ端子装置を少なくとも１つ含む請求項２，６，７の何れかに記載のテレビ端子装置であり、各テレビ端子装置と分配装置をテレビ信号線で接続すると共に電話線でも接続し、前記請求項６或いは請求項７に記載のテレビ端子装置に別途電話線を接続することで、複数のテレビ端子装置のテレビ出力端子に前記別途接続した電話線からの電話信号を重畳可能としたことを特徴とする。
この構成により、１つのテレビ端子装置に電話線を接続するだけで、全てのテレビ端子装置のテレビ出力端子に電話信号を重畳できる。
【００２４】
尚、電話信号重畳回路とは、電話線へのテレビ信号（例えば、９０〜２６００ＭＨｚ）の侵入を阻止すると共に、重畳するテレビ端子以外の端子には電話信号（例えば、ＤＣ〜１．１ＭＨｚ）の侵入を阻止するフィルタ回路である。また、電話分離混合回路は、複数のテレビ出力端子に共通の電話信号を重畳させると共にテレビ入力端子には電話信号を重畳させないフィルタ回路であり、何れもコイルとコンデンサとから構成されている。
【発明の効果】
【００２５】
このように、本発明に係るテレビ端子装置によれば、テレビ信号を出力するテレビ出力端子に電話信号を重畳するので、テレビ信号受信のためのテレビ信号線をそのテレビ端子と受信機の間に接続するだけで、双方向機能を備えることができる。そして、電話信号の重畳は、テレビ端子装置に電話線を接続すればよいので、接続作業が簡易であり、利用者自身が接続することも可能である。
【００２６】
また、本発明に係る分配装置によれば、分配装置より上流側への電話信号の漏れを確実に遮断でき、高いアイソレーションを確保できる。それでいて、１つの分配出力であるテレビ出力端子から重畳されてきた電話信号を各テレビ端子装置のテレビ出力端子に良好に重畳できる。
【００２７】
更に、本発明のテレビ受信システムによれば、既存のテレビ受信システムであっても、テレビ端子装置のみ交換するだけでテレビ出力端子に電話信号を重畳できるし、１つのテレビ端子装置に電話線を接続するだけで、全てのテレビ端子装置のテレビ出力端子に電話信号を重畳することもできる。
【発明を実施するための最良の形態】
【００２８】
以下、本発明を具体化した実施の形態を、図面に基づいて詳細に説明する。図１は本発明に係るテレビ端子装置の第１の実施形態を示し、（ａ）は回路図、（ｂ）は外観図を示している。図に於いて、１はテレビ信号が入力されるテレビ入力端子、２はテレビ信号を出力するテレビ出力端子であり、双方ともＦ型の同軸ケーブル接続端子として形成されている。また、３はモジュラージャックで形成された電話端子であり電話線が接続される。
【００２９】
図１（ａ）に示すように、電話端子３は信号端子３ａと共通端子（アース導体）３ｂの２端子から成り、信号端子３ａは、テレビ信号の通過を阻止するローパスフィルタ回路であるコイル４を介してテレビ出力端子２と接続されると共に、コンデンサ５を介して共通端子と接続されている。また、共通端子３ｂはテレビ出力端子２のアース導体と接続され、テレビ入力端子１のアース導体はテレビ信号を通過させ且つ電話信号を通過させないフィルタ回路としてのコンデンサ７を介して共通端子３ｂに接続されている。
そして、テレビ入力端子１とテレビ出力端子２とは、電話信号の通過を阻止するハイパスフィルタ回路としてのコンデンサ８を介して接続され、入力されたテレビ信号はテレビ出力端子から出力されると共に、電話信号はテレビ入力端子１へ重畳されるのを阻止している。
このように、コイル４とコンデンサ８とで電話信号重畳回路を構成し、電話端子３とテレビ出力端子２とを電話線重畳回路で接続することで、テレビ出力端子２からテレビ信号が出力されると共に、電話信号が重畳される。そして、テレビ入力端子１には電話信号が重畳されない。
【００３０】
また、図１（ｂ）に示すように、テレビ入力端子１とテレビ出力端子２はケースの異なる面に設けられ、電話端子３はテレビ出力端子２と同一面に設けられている。このように配置すれば、壁面や機器に設置して使用する場合、テレビ出力端子２と電話端子３を露出させるように設置でき、テレビ信号線としての同軸ケーブルや電話線の着脱を容易に実施できる。尚、端子の配置は、例えば全ての端子をケースの同一面に設けても良く、設置場所や使用目的に応じて決定すればよい。また、１０は壁面ボックス等に組み付ける際に係止させる為の係止突起であり、１１はケース６を固定するためのネジ孔である。
【００３１】
このように形成することで、テレビ信号を出力するテレビ端子に電話信号を重畳するので、テレビ信号を伝送するテレビ信号線をそのテレビ端子装置と受信機の間に接続するだけで、双方向機能を備えることができる。そして、電話信号の重畳は、テレビ端子装置に電話線を接続すればよいので、接続作業が簡易であり、利用者自身が接続することも可能である。また、最小限の部材でテレビ出力端子に電話信号を重畳できる。
また、電話端子はモジュラージャックで形成することで、既存の電話端子と、本装置の電話端子とをワンタッチで接続できる。従って、工具等使用すること無く容易に接続でき、不慣れな利用者であっても容易に接続できる。
更に、電話線を接続したテレビ端子装置のみテレビ入力端子に電話信号が重畳されるので、テレビ信号線により他のテレビ端子装置と連結されていても、それらの端子に電話信号が重畳されることがない。
また、テレビ入力端子のアース導体と電話端子のアース導体を直接接続しないので、テレビ端子装置より上流に接続されたテレビ信号の伝送機器に電話信号がアースを介して漏れることが無く、高いアイソレーションを確保でき干渉を受けにくいし、電話信号が重畳されているテレビ信号線から、電話回線を分離する分波器としても本テレビ端子装置は使用できる。
【００３２】
図２は、図１と同一回路を備えたテレビ端子装置の他の例を示す外観図であり、壁面ボックス取付専用のものを示している。また、図３は壁面ボックスに取り付ける際に使用する既存の壁面取付具１２を装着した状態を示し、（ａ）は正面図、（ｂ）はＡ−Ａ線断面説明図である。
図２において、図示上面が正面であり、ケース正面にテレビ出力端子２が設けられ、図示手前となる下面にテレビ入力端子１と電話端子３が設けられている。そして、ケース６の左右側面に壁面取付具１２に係止する係止爪１３が突設され、既存の壁面取付具１２を使用して壁面ボックス（図示せず）に組み付け可能に形成され、容易に壁面に取付できる形状となっている。
そして、テレビ端子装置を後方から壁面取付具１２にはめ込むことで、係止爪１３は壁面取付具１２の係止部１２ａに係止し、図３に示すように組み付けできる。
【００３３】
ケースをこのように形成することで、テレビ端子装置を容易に壁面に設置でき、テレビ端子装置までの電話線の配線が露出せず見栄えを良くできる。そして、露出したテレビ出力端子にテレビ信号線を接続するだけで受信装置にてテレビ信号を受信すると共に電話信号を送受できる。
尚、壁面取付具１２は、図９に示すようにテレビ端子装置のケース６と一体に形成することも可能で、そうすることで壁面に取り付ける際の部材を削減できるし、取付工事も容易になる。
【００３４】
図４は、テレビ端子装置の第２の実施形態を示し、（ａ）は回路図、（ｂ）は外観図である。図１との相違点はテレビ入力端子にも電話信号を重畳している点であり、図１と同一の構成要素には同一の符号を付与して説明を省略する。図４（ａ）に示すように、テレビ出力端子２に加えて、テレビ入力端子１もコイル４とコンデンサ８とから成る電話信号重畳回路を介して電話端子３と接続されている。但し、コンデンサ８は共通のフィルタ回路となっている。
また、テレビ入出力端子間はテレビ信号が通過可能に接続され、外観は図１の構成と同様であるが、電話端子３はテレビ入力端子１と同一面に形成されている。
このように、テレビ出力端子に加えて、テレビ入力端子にも電話信号が重畳されるので、テレビ入力端子に接続されたテレビ信号線を介して他のテレビ端子装置にも電話信号を重畳することが可能となり、テレビ端子毎に電話線を接続する必要がない。
【００３５】
図５は、テレビ端子装置の第３の実施形態を示し、（ａ）は回路図、（ｂ）は外観図である。ここでは、一対のテレビ端子以外に電話信号の中継に利用できる電話端子を設け、電話端子は全２個設けられている。尚、図１と同一の構成要素には同一の符号を付与し、説明を省略する。
図５（ａ）に示すように、テレビ出力端子２に加えて、テレビ入力端子１にもコイル４とコンデンサ８とから成る電話信号重畳回路を介して電話端子３と接続され、テレビ入出力端子間はテレビ信号が通過可能に接続されている。そして、電話端子３，３同士は直接接続され、一方が中継端子として利用可能となっている。
また、図５（ｂ）に示すように、２つの電話端子３，３はテレビ出力端子２を設けた面に併設し、一方からテレビ出力端子２及び電話端子３の接続操作が可能に配置されている。
【００３６】
このように、テレビ入力端子にも電話信号を重畳することで、他のテレビ端子装置のテレビ端子にも電話信号を重畳させることが可能となるし、電話中継端子を有するので、電話回線のみ引き出すことができる。また、２つの電話端子は本装置を壁面等に設置した際に露出する前面に設けることで、着脱操作がし易い。
尚、電話信号はテレビ出力端子のみに重畳させてもよいし、一方の電話端子を前面ではなく、例えばテレビ入力端子を設けた側面に配置しても良い。
【００３７】
図６は、テレビ端子装置の第４の実施形態を示している。ここでは、テレビ端子を全３個設けると共に、電話端子を２個設け、テレビ端子と電話端子の双方に中継端子を設け、更にテレビ出力端子に電話信号が重畳するのを阻止するスイッチを設けている。尚、図１と同一の構成要素には同一の符号を付与し、説明を省略する。
図６（ａ）に示すように、テレビ入力端子１と中継端子としての一方のテレビ出力端子２ｂとは分岐回路１５を介して接続され、その分岐回路１５の分岐出力１５ａが他方のテレビ出力端子２ａに接続されている。また、２つの電話端子３，３は互いに接続され、電話端子３と各テレビ端子１，２ａ，２ｂは夫々コイル４とコンデンサ８から成る電話信号重畳回路を介して接続されている。そして、電話端子３とテレビ出力端子２との間に介在されるコイル４の一端にスイッチ１６が設けられ、電話信号重畳回路を切断可能となっている。
ケース６は、図６（ｂ）に示すように、テレビ中継端子としてのテレビ出力端子２ｂがテレビ入力端子１に対向する位置に設けられ、テレビ出力端子２ａは双方の間の面に設けられ、例えばテレビ入力端子１とテレビ中継端子２ｂがケース６の上下両端部に配置され、テレビ出力端子２ａと２つの電話端子３，３はケース前面に配置されるよう構成されている。そして、スイッチ１６はテレビ出力端子２ａと同一面に隣接して配置されている。
【００３８】
このように、テレビ出力端子を２つ設ければ、一方を中継端子として利用でき、複数のテレビ端子装置を容易に連結できる。そして、全てのテレビ端子に電話信号が重畳されるので、連結された他のテレビ端子装置のテレビ端子にも電話信号を重畳させることが可能となる。また、電話中継端子を有するので、電話回線のみ引き出すことができるし、２つの電話端子は装置を壁面等に設置した際に露出する前面に設けることで、電話線の着脱操作がし易い。
更に、電話線との接続が必要ない受信装置と接続する場合、スイッチをオフ操作すればよく、他のテレビ端子装置へ重畳した電話信号をカットすることなく、また分波器を使用せずに電話信号の重畳を解除できる。
【００３９】
図７はテレビ端子装置の第５の実施形態を示し、（ａ）は回路図、（ｂ）は外観図である。ここでは、テレビ出力端子のみ電話信号を重畳すると共に、電話端子を２個設けている。尚、図１と同一の構成要素には同一の符号を付与し、説明を省略する。
図７（ａ）に示すように、２つの電話端子３，３は互いに接続され、電話端子３とテレビ出力端子２とはコイル４とコンデンサ８から成る電話信号重畳回路により接続されている。また図７（ｂ）に示すように、一方の電話端子３は、テレビ入力端子１に隣接して設けられ、他方の電話端子３は対向してケース６の反対面に設けられている。
このように形成することで、電話線を接続したテレビ端子装置のみテレビ出力端子に電話信号を重畳でき、テレビ信号線で連結されている他のテレビ端子装置に電話信号が漏れることが無い。また、電話中継端子を有するので、電話信号のみ容易に引き出すことができる。
【００４０】
図８はテレビ端子装置の第６の実施形態を示し、（ａ）は回路図、（ｂ）は外観図である。ここでは、テレビ端子を３個設けると共に、電話端子もテレビ端子と同数の３個設けられ、テレビ端子と電話端子の双方に中継端子を設けている。尚、図１と同一の構成要素には同一の符号を付与し、説明を省略する。
図８（ａ）に示すように、テレビ入力端子１と中継端子としての一方のテレビ出力端子２ｂとは分岐回路１５を介して接続され、その分岐回路１５の分岐出力１５ａが他方のテレビ出力端子２ａに接続されている。また、３つの電話端子３は互いに接続され、テレビ出力端子２ａのみが電話端子３とコイル４とコンデンサ８から成る電話信号重畳回路を介して接続されている。
そして、図８（ｂ）に示すように、ケース６上に各テレビ端子１，２ａ，２ｂと電話端子３，３，３は対を成して配置されている。詳しくは、テレビ中継端子２ｂがテレビ入力端子１に対向する位置に設けられ、テレビ出力端子２ａはその間の面に設けられ、電話端子３は各テレビ端子１，２ａ，２ｂに隣接して配置されている。
【００４１】
このように構成すれば、電話線を接続したテレビ端子装置のみテレビ出力端子に電話信号を重畳でき、テレビ信号線で連結されている他のテレビ端子装置に電話信号が漏れることが無い。また、テレビ中継端子を有するので複数のテレビ端子の連結が容易であるし、電話中継端子をテレビ入力端子とテレビ中継端子に隣接させて設けてあるので、他のテレビ端子装置等との間で、電話線をテレビ信号線に併設すれば、テレビ信号線に電話信号を重畳させずに他のテレビ端子装置等との間で電話回線を設けることができる。
【００４２】
尚、上記第２の実施形態から第７に実施形態のテレビ端子装置は、ケース形状を壁面に収納する形態だけでなく他の設置形態も適用可能としているが、図２に示すように既存の壁面取付具に組み付ける為の専用形状で作成することもできる。例えば、図４に示し第２の実施形態のテレビ端子装置は。図２に示すケースをそのまま使用して、壁面取付用に作成することができるし、図５の第４の実施形態に示すような縦長の形状の場合であっても、図２に示すケースを縦長に形成することで、元々縦長に形成されている壁面取付具１２に無理なく組み付けできる。
【００４３】
次に、本発明の分配装置について説明する。図１０は第１の実施形態を示す回路図である。図において、２１はテレビ信号を入力するテレビ入力端子、２２は入力したテレビ信号を出力する４個のテレビ出力端子であり、４分配する分配回路２３により入力信号は分配されて各テレビ出力端子２２から出力される。そして、各テレビ出力端子２２はコイル２４とコンデンサ２５を組み合わせた電話分離混合回路を介して互いに連結されている。
この電話分離混合回路は、電話信号を通過させると共にテレビ信号の通過を阻止するフィルタ回路としてのコイル２４と、テレビ信号を通過させると共に電話信号の通過を阻止するフィルタ回路としてのコンデンサ２５により構成され、コイル２４により各テレビ出力端子２２は連結され、コンデンサ２５は分配回路２３の各分岐出力部及び信号入力部に直列に設けられている。
こうして、分配回路２３ではテレビ信号のみ通過し、電話信号は電話信号分離混合回路を介して各テレビ出力端子２２に重畳される。
また、テレビ入力端子２１のアース導体はコンデンサ２６を介して各テレビ出力端子２２のアース導体に接続されている。このコンデンサ２６は、他のコンデンサ２５と同様にテレビ信号を通過させて、電話信号の通過を阻止するものが使用されている。
【００４４】
分配装置をこのように構成することで、テレビ出力端子に電話信号が重畳しても、分配装置より上流側への電話信号が重畳されることがなく、テレビ入出力端子間で高いアイソレーションを確保できる。それでいて、何れか１つのテレビ出力端子に接続された同軸ケーブルに電話信号が重畳されたら、他のテレビ出力端子に良好に電話信号を重畳できる。そのため、何れか１つのテレビ端子装置に電話回線に接続された電話線を接続すれば、分配装置の下流に設置された各テレビ端子装置に良好に電話信号を重畳でき、各テレビ端子装置のテレビ出力端子に電話信号を重畳できる。
このように、この分配装置と上述するテレビ端子装置の例えば図４のテレビ端子装置とを組み合わせることで、複数のテレビ出力端子に電話信号を良好に重畳できる。
尚、分配数は４つである必要はなく、必要分配数に合わせて選択すればよい。
【００４５】
図１１は、分配装置の第２の実施形態を示し、上記図１０と同一の構成要素には同一の符号を付与し、説明を省略する。この分配装置も、図１０の分配装置と同様に入力されたテレビ信号を分配回路２３により４分配して各テレビ出力端子２２に出力している。但し、図示するように、各テレビ出力端子２２に電話端子２７を併設して、電話信号は各テレビ出力端子２２には重畳させず、併設した電話端子２７により伝送するよう構成されている。各電話端子２７は分配装置ケース内で連結され、またテレビ入力端子２１のアース導体はコンデンサ２６を介してテレビ出力端子２２のアース導体と接続されている。
分配装置をこのように構成することで、分配装置より上流側への電話信号の漏れを確実に遮断でき、高いアイソレーションを確保できる。また、任意の１つの電話端子に、電話回線に接続された電話線を接続することで、分配装置の他の電話端子に電話信号を伝送できる。従って、テレビ出力端子２２の先に接続された１つのテレビ端子装置に、例えば上述する図７のテレビ端子装置を使用して電話線を接続すれば、他の分配出力に接続されているテレビ端子装置のテレビ出力端子にも電話信号を重畳できる。また、分配装置を簡単な回路構成とすることができる。
【００４６】
尚、上記２つの分配装置は、何れもテレビ入力端子のアース導体（テレビ信号線の外部導体）と電話線の共通線をコンデンサを介して接続しているが、直接接続しても良い。その場合、テレビ入力端子側のテレビ信号と電話信号のアイソレーションが劣化するが、実用に不向きなレベルではない。
また、図１１の形態の場合、電話信号分配器をテレビ信号分配器とは別体で設けて、分離しても良い。
【００４７】
次に、本発明のテレビ受信システムについて説明する。図１２は第１の実施形態を示すブロック図であり、その要部を示している。図において、３１はＣＳ信号を受信するＣＳアンテナ、３２はブロックコンバータ、３３はＢＳ放送を受信するＢＳアンテナ、３４はＶＨＦアンテナ、３５はＵＨＦアンテナ、３６はブースタであり、これらの信号は混合器３７で混合されて１本のテレビ信号線としての同軸ケーブルで屋内に引き込まれる。
混合された受信信号は、分配器３８で分配され、テレビ信号線である同軸ケーブル３０により各部屋に設けられた第１〜第４の複数のテレビ端子装置３９ａ〜３９ｄに接続されている。
そして、設置されたテレビ端子装置３９ａ〜３９ｄのうち、第１テレビ端子装置３９ａが上記図２に示すテレビ端子装置となっている。また、４０は電話回線を示し、電話回線４０は保安器４１を介して屋内に引き込まれ、その電話線４２が第１テレビ端子装置３９ａの電話端子に接続されている。このように構成することで、テレビ端子装置３９ａのテレビ出力端子から電話信号が重畳されたテレビ信号が出力される。
【００４８】
この第１テレビ端子装置３９ａのテレビ出力端子には、分波器４４、分波分配装置４５、２つのデジタルチューナ（或いは、ＳＴＢ（セットトップ・ボックス））４６ａ，４６ｂ、テレビ受像器４７、そしてブロックコンバータ４８が接続されている。
まず、分波器４４で分波したテレビ信号が分波分配装置４５にのみ送られる。そして、ＢＳ放送のうちデジタル放送はデジタルチューナ４６ａに送られ、ＶＨＦ，ＵＨＦ及びＢＳアナログ放送は直接テレビ受像器４７に送られて受信する。また、デジタルチューナ４６ａで、ＢＳデジタル放送は選局復調されテレビ受像器４７に送られ受信可能となる。
一方、分波分配装置４５でＣＳ信号が分離され、ブロックコンバータ４８を介してデジタルチューナ４６ｂに接続され、テレビ受像器４７でＣＳ信号が受信可能となる。
そして、分波器４４で分離された電話信号は、デジタルチューナ４６ａ及びデジタルチューナ４６ｂに送られ、ＢＳ及びＣＳのデジタル放送に対して双方向機能を持たせることができる。また、他の第２〜第４テレビ端子装置３９ｂ〜３９ｄでは、テレビ受像器４７を接続すればＢＳアナログ放送やＶＨＦ、ＵＨＦ放送を受信できる。
【００４９】
このように、テレビ端子装置のみ交換するだけで、既存のテレビ受信システムを使用して、テレビ出力端子に電話信号を重畳できるので、僅かな機器の変更で受信機器に接続するテレビ信号線に電話信号を重畳でき、電話線を受信機器に接続することなく双方向機能を持たせることができる。また、電話線の接続はテレビ端子装置に対して行えば良く、接続作業も容易である。
また、第１テレビ端子装置３９ａは、テレビ入力端子には電話信号を重畳しないので、その上流に連結された他のテレビ端子は、従来通りテレビ信号のみ出力し、良好にテレビ信号を受信できる。
尚、ここでは、第１テレビ端子装置３９ａに図２のテレビ端子装置を使用しているが、図１、図７或いは図８に示すテレビ端子装置も良好に使用できる。また、第１テレビ端子装置３９ａに接続されている分波器４４は、図１に記載のテレビ端子装置を利用することができる。
【００５０】
図１３は、テレビ受信システムの第２の実施形態を示すブロック図であり、上記図１２とは、分配器やテレビ端子装置が異なっている。尚、図１２と同一の構成要素には同一の符号を付与し説明を省略する。
具体的に、図１３において、５１は分配装置であり上記図１０に示す分配装置が使用されている。また、この分配装置５１の分配出力が接続された第１〜第４の複数のテレビ端子装置３９ｅ〜３９ｈのうち、第１テレビ端子装置３９ｅに上記図４に示すテレビ端子装置が使用され、他の第２〜第４テレビ端子装置３９ｆ〜３９ｈは電話端子のない従来の電流通過型のテレビ端子装置が使用されている。そして、電話線４２をテレビ端子装置３９ｅに接続することで、分配装置５１に接続された全てのテレビ端子装置のテレビ出力端子に電話信号を重畳できるようにしている。
【００５１】
こうして、例えば第１テレビ端子装置３９ｅのテレビ出力端子には、分波器４４を介してテレビ受像器４７が接続できると共に、分波した電話信号を利用して電話（或いはファクシミリ）５５が接続できる。また、他の第２〜第４テレビ端子装置３９ｆ〜３９ｈは、テレビ信号線を接続するだけで、受信装置が分波器を内蔵したデジタルテレビ５４であれば双方向機能を備えることができるし、パーソナルコンピュータ５３を分波器４４を介して接続すれば双方向通信が可能となる。更に、分波器４４、分波分配装置４５、デジタルチューナ（或いは、ＳＴＢ）４６を介してテレビ受像器４７を接続すれば、既存のテレビ受像器に双方向機能を持たせることができる。
【００５２】
このように、上記図４のテレビ端子装置と図１０の分配装置とを組み合わせて受信システムを構成することで、１つのテレビ端子装置に電話回線に接続された電話線を接続するだけで、全てのテレビ端子装置のテレビ出力端子に電話信号を重畳できる。
尚、ここでは第１テレビ端子装置３９ｅに図４のテレビ端子装置を使用しているが、図５や図６のテレビ端子装置を使用しても良い。また、電話線を接続する必要のないテレビ端子装置３９ｆ〜３９ｈも、例えば上記図４に示すような電話端子を備えたテレビ端子装置としてもよい。
【００５３】
図１４は、図１０の分配装置５１を使用したテレビ受信システムの他の例を示している。アンテナ及び分配出力の一部は省略し、電話線を接続した分配装置の分配出力ライン及びその接続機器を示し、上記図１３とは主にテレビ端子装置が異なっている。尚、上記図１２と同一の構成要素しは同一の符号を付与し、説明を省略する。
具体的に、第１テレビ端子装置３９ｉは上記図５に示すテレビ端子装置が使用され、第２テレビ端子装置３９ｊは上記図６に示すテレビ端子装置が使用されている。そして、末端に配置された第１テレビ端子装置３９ｉに電話線５７が接続され、この第１テレビ端子装置３９ｉの上流に第２テレビ端子装置３９ｊが介在されて分岐装置５１の分配出力の１つに接続されている。尚、電話線５７は、屋内に引き込まれた電話回線４０が接続されている既存の電話端子５８と、壁面に設けられた第１テレビ端子装置３９ｉとを接続している。
【００５４】
こうして、電話信号は、第１テレビ端子装置３９ｉのテレビ出力端子の他、そのテレビ入力端子にも重畳され、上流に接続された第２テレビ端子装置３９ｊ、そして分配装置５１にテレビ信号線を介して重畳される。そして、分配装置５１の他の分配出力にも同様のテレビ端子装置を設置することで、それらのテレビ端子装置のテレビ出力端子にも電話信号が重畳される。そして、図示するように、何れのテレビ端子装置３９ｉ，３９ｊも電話端子３を有するので、電話５５やファクシミリを接続できるし、テレビ出力端子２に分波器４４、分波分配装置４５、デジタルチューナ４６を介してテレビ受像器４７を接続することで、テレビ受像器４７に双方向機能を持たせることができる。
このように、上記図５、図６のテレビ端子装置と図１０の分配装置とを組み合わせて受信システムを構成することで、分配装置５１の分配出力（テレビ出力端子）に直列にテレビ端子装置を接続できるし、１つのテレビ端子装置に電話回線に接続された電話線を接続するだけで、全てのテレビ端子装置のテレビ出力端子に電話信号を重畳できる。
尚、ここでは、第１テレビ端子装置３９ｉに図５のテレビ端子装置を使用しているが、図４或いは図６のテレビ端子装置を使用しても良い。
【００５５】
図１５は、テレビ受信システムの第３の実施形態を示すブロック図であり、ここでは、分配装置に上記図１１の分配装置を使用すると共に、上記図２、図７又は図８に示すテレビ端子装置が使用されている。尚、上記図１２と同一の構成要素には同一の符号を付与し説明を省略する。
具体的には、分配装置６０は図１１に示す分配装置、第１テレビ端子装置３９ｋは上記図７に示すテレビ端子装置、第２テレビ端子装置３９ｌは上記図２に示すテレビ端子装置、第３テレビ端子装置３９ｍは上記図８に示すテレビ端子装置であり、分配装置６０で分配された信号は同軸ケーブル３０で第１テレビ端子装置３９ｋに接続されたり、途中第３テレビ端子装置３９ｍを経由等して第２テレビ端子装置３９ｌに接続されている。また、各テレビ端子装置３９ｋ〜３９ｍは同軸ケーブル３０に併設された電話線６１でも夫々接続されている。このように、分配装置６０から下流のテレビ端子装置までの接続は同軸ケーブル３０及び電話線６１で行われている。
【００５６】
そして、第１テレビ端子装置３９ｋに、屋内に引き込まれた電話回線４０の電話線４２が接続され、その第１テレビ端子装置３９ｋの上流側に接続された電話線６１により、分配装置６０及び他のテレビ端子装置に電話信号が重畳される。
このように、１つのテレビ端子装置に電話線を接続することで、分配装置に接続された全てのテレビ端子装置のテレビ出力端子に電話信号を重畳できる。
【００５７】
尚、図１５において、６２はデジタル放送を直接受信できるデジタルテレビを示し、分波器４４を内蔵させれば、テレビ出力端子に直接接続して双方向機能を持たせることも可能である。また、第１テレビ端子装置３９ｋに上記図７のテレビ端子装置を使用しているが、図８のテレビ端子装置使用することもできるし、第２テレビ端子装置３９ｌに図２のテレビ端子装置を使用しているが、図７のテレビ端子装置を使用しても良い。
また、上記テレビ受信システムは、何れも末端のテレビ端子装置に電話線を接続して電話信号をテレビ信号に重畳させているが、途中に介在されたテレビ端子装置に電話線を接続しても良く、テレビ端子装置を選択することで同様に電話信号をテレビ信号に重畳できる。
【図面の簡単な説明】
【００５８】
【図１】本発明に係るテレビ端子装置の第１の実施形態を示し、（ａ）は回路図、（ｂ）は外観図である。
【図２】図１と同一の回路構成で他のケース形状を示す外観図である。
【図３】図２のテレビ端子装置を壁面取付具に組み付けた状態を示し、（ａ）は正面図、（ｂ）はＡ−Ａ線断面説明図である。
【図４】テレビ端子装置の第２の実施形態を示し、（ａ）は回路図、（ｂ）は外観図である。
【図５】テレビ端子装置の第３の実施形態を示し、（ａ）は回路図、（ｂ）は外観図である。
【図６】テレビ端子装置の第４の実施形態を示し、（ａ）は回路図、（ｂ）は外観図である。
【図７】テレビ端子装置の第５の実施形態を示し、（ａ）は回路図、（ｂ）は外観図である。
【図８】テレビ端子装置の第６の実施形態を示し、（ａ）は回路図、（ｂ）は外観図である。
【図９】テレビ端子装置の他のケース形状を示す正面図である。
【図１０】本発明に係る分配装置の第１の実施形態を示す回路図である。
【図１１】分配装置の第２の実施形態を示す回路図である。
【図１２】本発明に係るテレビ受信システムの第１の実施形態を示すブロック図である。
【図１３】テレビ受信システムの第２の実施形態を示すブロック図である。
【図１４】テレビ受信システムの第３の実施形態を示すブロック図である。
【図１５】テレビ受信システムの第４の実施形態を示すブロック図である。
【符号の説明】
【００５９】
１・・テレビ入力端子（テレビ端子）、２，２ａ，２ｂ・・テレビ出力端子（テレビ端子）、３・・電話端子、４・・コイル、５・・コンデンサ、６・・ケース（筐体）、７，８・・コンデンサ、１２・・壁面取付具、１５・・分岐回路、１６・・スイッチ、２１・・テレビ入力端子、２２・・テレビ出力端子、２３・・分配回路、２４・・コイル、２５・・コンデンサ、２６・・コンデンサ、２７・・電話端子、３０・・同軸ケーブル（テレビ信号線）、３９ａ〜３９ｍ・・テレビ端子装置、４０・・電話回線、５１・・分配装置、５７・・電話線、６０・・分配装置、６１・・電話線。
【図１】
2005065036.tif 000003
【図２】
2005065036.tif 000004
【図３】
2005065036.tif 000005
【図４】
2005065036.tif 000006
【図５】
2005065036.tif 000007
【図６】
2005065036.tif 000008
【図７】
2005065036.tif 000009
【図８】
2005065036.tif 000010
【図９】
2005065036.tif 000011
【図１０】
2005065036.tif 000012
【図１１】
2005065036.tif 000013
【図１２】
2005065036.tif 000014
【図１３】
2005065036.tif 000015
【図１４】
2005065036.tif 000016
【図１５】
2005065036.tif 000017